(57)【要約】【課題】Ｗｅｂページ上で申込み手続きを行うことなく、しかも、特定処理をした加工データを生成および配信する方法を得る。【解決手段】統合サーバ２は、加工画像生成サーバ３での固有の画像加工データ処理を行う加工画像生成手段３Ａ〜３Ｅに対してそれぞれ固有のメールアドレスを割り当て、固有メールアドレス情報をＷｅｂサーバ５で表示し、インターネット９を介して固有メールアドレス宛の送信メール１１をメールサーバ４により受信し、送信メール１１に含まれるデータを利用者データベース１０に保存し、固有メールアドレス宛の送信メールを受信したことをトリガ信号として、加工画像生成サーバ３における固有メールアドレスを割り当てた加工画像生成手段を動作させて特定の加工画像データを生成し、この特定加工画像データを、前記送信メールの送信元が入手可能となる返信メール１２を生成し、返信する。【選択図】図１
2005316822.tif 000002
【特許請求の範囲】
【請求項１】
通信ネットワークを介して、特定処理をした加工データを生成および配信する方法において、
統合サーバが、データ加工サーバにおけるそれぞれ固有のデータ加工を行う少なくとも一つのデータ加工手段に対してそれぞれ固有のメールアドレスを割り当て、各データ加工手段の固有メールアドレスを少なくともＷｅｂサイト上で表示するステップと、
前記統合サーバが、通信ネットワークを介して前記固有メールアドレス宛の送信メールをメールサーバにより受信する受信ステップと、
前記統合サーバが、前記固有メールアドレス宛の送信メールに含まれるデータを利用者データベースに保存する保存ステップと、
前記統合サーバが、前記固有メールアドレス宛の送信メールをメールサーバが受信したことをトリガ信号として、前記データ加工サーバにおける前記固有メールアドレスを割り当てたデータ加工手段を動作させて特定の加工データを生成する加工データ生成ステップと、
前記統合サーバが、前記送信メールに含まれるデータを保存した前記利用者データベースを参照して、前記データ加工サーバにより生成された特定加工データを、前記送信メールの送信元が入手可能となる返信メールを作成する返信メール作成ステップと、
前記統合サーバが、前記メールサーバを動作させて前記通信ネットワークを介して前記返信メールを前記送信元メールアドレス宛に返信する返信ステップと
よりなることを特徴とする特定加工データ生成および配信方法。
【請求項２】
通信ネットワークを介して、特定の画像加工処理をした加工画像データを生成および配信する方法において、
統合サーバが、加工画像生成サーバにおける少なくとも一つの固有の画像加工データ処理を行う加工画像生成手段に対してそれぞれ固有のメールアドレスを割り当て、各加工画像生成手段の固有メールアドレスを少なくともＷｅｂサイト上で表示するステップと、
前記統合サーバが、通信ネットワークを介して前記固有メールアドレス宛の送信メールをメールサーバにより受信する受信ステップと、
前記統合サーバが、前記固有メールアドレス宛の送信メールに含まれるデータを利用者データベースに保存する保存ステップと、
前記統合サーバが、前記固有メールアドレス宛の送信メールを受信したことをトリガ信号として、加工画像生成サーバにおける前記固有メールアドレスを割り当てた加工画像生成手段を動作させて特定の加工画像データを生成する加工画像データ生成ステップと、
前記統合サーバが、前記送信メールに含まれるデータを保存した前記利用者データベースを参照して、前記加工画像生成サーバにより生成された特定加工画像データを、前記送信メールの送信元が入手可能となる返信メールを作成する返信メール作成ステップと、
前記統合サーバが、前記メールサーバを動作させて前記通信ネットワークを介して前記返信メールを前記送信元メールアドレス宛に返信する返信ステップと
よりなることを特徴とする特定加工画像データ生成および配信方法。
【請求項３】
前記統合サーバによる前記返信メール作成ステップは、前記加工画像生成サーバの加工画像生成手段により固有の画像加工処理された加工画像データを、前記送信メールの送信元メールアドレスに添付する返信メールを作成するものとした請求項２記載の特定加工画像データ生成および配信方法。
【請求項４】
前記統合サーバによる前記返信メール作成ステップは、前記加工画像生成サーバの加工画像生成手段により固有の画像加工処理を施された加工画像データを前記統合サーバに設定した固有のＵＲＬにリンク保存し、かつこのＵＲＬを前記送信メールの送信元メールアドレスにメール本文で通知する返信メールを作成するものとした請求項２記載の特定加工画像データ生成および配信方法。
【請求項５】
前記加工画像生成サーバによる前記固有の画像加工処理を、前記送信メールに添付された元画像データに対するそれぞれ個別の特殊効果画像加工とした請求項２乃至４のうちのいずれか一項に記載の特定加工画像データ生成および配信方法。
【請求項６】
前記加工画像生成サーバによる前記固有の画像加工処理を、前記送信メールに添付された元画像データに対して特定イラストフレームを合成する加工とした請求項２乃至４のうちのいずれか一項に記載の特定加工画像データ生成および配信方法。
【請求項７】
前記加工画像生成サーバによる前記固有の画像処理を、前記送信メールに添付された元画像データに対して特定画像を合成する加工とした請求項２乃至４のうちのいずれか一項に記載の特定加工画像データ生成および配信方法。
【請求項８】
前記加工画像生成サーバによる前記固有の画像加工処理を、固有のグラフィカルな識別コード生成とした請求項２乃至４のうちのいずれか一項に記載の特定加工画像データ生成および配信方法。
【請求項９】
前記加工画像生成サーバによる前記固有の画像加工処理を、乱数的なおみくじまたは懸賞のグラフィック生成とした請求項２乃至４のうちのいずれか一項に記載の特定加工画像データ生成および配信方法。
【請求項１０】
前記加工画像生成サーバによる前記固有画像加工処理を施した加工画像データの配信サービスを、携帯電話向けサービスとした請求項２乃至９のうちのいずれか一項に記載の特定加工画像データ生成および配信方法。
【発明の詳細な説明】
【技術分野】
【０００１】
本発明は、インターネット等の通信ネットワークを介して、特定処理をした加工データを生成して配信するサービス方法、特に、固有の画像加工処理をした加工画像データを生成して配信する方法に関するものである。
【背景技術】
【０００２】
従来、ユーザーがインターネット上での、ある特定データ配信サービス、例えば、カラオケデータ、着メロデータ、待ち受け画面データまたはアプリケーションソフト（例えば、携帯電話におけるｉアプリ）の配信サービスがある。
【０００３】
更に、画像処理をした加工画像データを配信するサービスも存在する。（例えば、非特許文献１参照。）
【非特許文献１】http://www.fujifilm.co.jp/asp/index.html
【発明の開示】
【発明が解決しようとする課題】
【０００４】
しかし、従来、ユーザーがインターネット上での、カラオケデータ、着メロデータ、待ち受け画面データまたはアプリケーションソフトの配信を受けようとする場合、その特定データ配信サービスを行うＵＲＬのＷｅｂサイトにアクセスし、登録用ページで予めユーザー登録を行うなりし、配信申込みページ上で、メニュー一覧から入手しようとする特定データもしくは特定アプリケーションを選択して申し込む手続きが必要である。また、コンテンツ系のデータ配信サービスは、オリジナルコンテンツの複製配信であり、オリジナルコンテンツの加工は行わない。
【０００５】
さらに、上述の非特許文献１の加工画像配信サービスも、そのＵＲＬのＷｅｂサイトにアクセスし、サンプル画像を選択して申し込む手続きを必要とする。
【０００６】
従来の特定データ配信サービスまたは加工画像データ配信サービスは、いずれにせよ、Ｗｅｂサイト上での申込み手続きを必要とする。
【０００７】
したがって、本発明の目的は、配信サービスを行うＷｅｂページ上で申込み手続きを行うことなく、しかも、特定処理をした加工データを生成および配信する方法、特に、特定の画像加工処理をした加工画像データを生成および配信する方法を得るにある。
【課題を解決するための手段】
【０００８】
この目的を達成するため、本発明の第１の発明は、通信ネットワークを介して、特定処理をした加工データを生成および配信する方法において、
統合サーバが、データ加工サーバにおけるそれぞれ固有のデータ加工を行う少なくとも一つのデータ加工手段に対してそれぞれ固有のメールアドレスを割り当て、各データ加工手段の固有メールアドレスを少なくともＷｅｂサイト上で表示するステップと、
前記統合サーバが、通信ネットワークを介して前記固有メールアドレス宛の送信メールをメールサーバにより受信する受信ステップと、
前記統合サーバが、前記固有メールアドレス宛の送信メールに含まれるデータを利用者データベースに保存する保存ステップと、
前記統合サーバが、前記固有メールアドレス宛の送信メールをメールサーバが受信したことをトリガ信号として、前記データ加工サーバにおける前記固有メールアドレスを割り当てたデータ加工手段を動作させて特定の加工データを生成する加工データ生成ステップと、
前記統合サーバが、前記送信メールに含まれるデータを保存した前記利用者データベースを参照して、前記データ加工サーバにより生成された特定加工データを、前記送信メールの送信元が入手可能となる返信メールを作成する返信メール作成ステップと、
前記統合サーバが、前記メールサーバを動作させて前記通信ネットワークを介して前記返信メールを前記送信元メールアドレス宛に返信する返信ステップと
よりなることを特徴とする。
【０００９】
さらに、本発明の第２の発明は、通信ネットワークを介して、特定の画像加工処理をした加工画像データを生成および配信する方法において、
統合サーバが、加工画像生成サーバにおける少なくとも一つの固有の画像加工データ処理を行う加工画像生成手段に対してそれぞれ固有のメールアドレスを割り当て、各加工画像生成手段の固有メールアドレスを少なくともＷｅｂサイト上で表示するステップと、
前記統合サーバが、通信ネットワークを介して前記固有メールアドレス宛の送信メールをメールサーバにより受信する受信ステップと、
前記統合サーバが、前記固有メールアドレス宛の送信メールに含まれるデータを利用者データベースに保存する保存ステップと、
前記統合サーバが、前記固有メールアドレス宛の送信メールを受信したことをトリガ信号として、加工画像生成サーバにおける前記固有メールアドレスを割り当てた加工画像生成手段を動作させて特定の加工画像データを生成する加工画像データ生成ステップと、
前記統合サーバが、前記送信メールに含まれるデータを保存した前記利用者データベースを参照して、前記加工画像生成サーバにより生成された特定加工画像データを、前記送信メールの送信元が入手可能となる返信メールを作成する返信メール作成ステップと、
前記統合サーバが、前記メールサーバを動作させて前記通信ネットワークを介して前記返信メールを前記送信元メールアドレス宛に返信する返信ステップと
よりなることを特徴とする。
【発明の効果】
【００１０】
本発明によれば、データ加工サーバにおけるそれぞれ固有のデータ加工を行う少なくとも一つのデータ加工手段に対してそれぞれ固有のメールアドレスを割り当ててあるため、また、加工画像生成サーバにおける少なくとも一つの固有の画像加工データ処理を行う加工画像生成手段に対してそれぞれ固有のメールアドレスを割り当ててあるため、単に固有メールアドレス宛の送信メールを受信するだけで、特定加工データまたは特定加工画像データを生成し、送信元が入手できる返信メールという形式で配信することができる。
【００１１】
一方、ユーザー側にしたら、固有の画像加工データ処理を行う加工画像生成サービスとそれに固有のメールアドレスをＷｅｂページ上等で知りさえすれば、あとは、Ｗｅｂサイトでログイン操作等をする必要なく、特定固有メールアドレス宛の送信メールを送信するだけで、所望の特定加工データまたは特定加工画像データを入手できる。さらに、本発明によれば、ユーザーは、このようなデータ加工のための高価なアプリケーションソフトを購入する必要がなくなる。
【発明を実施するための最良の形態】
【００１２】
本発明の好適な実施例においては、統合サーバによる返信メール作成ステップは、データ加工サーバのデータ加工手段または加工画像生成サーバの加工画像生成手段により固有の加工処理された加工データまたは加工画像データを、前記送信メールの送信元メールアドレスに添付する返信メールを作成するものとする。
【００１３】
更に、本発明の好適な実施例においては、統合サーバによる返信メール作成ステップは、データ加工サーバのデータ加工手段または加工画像生成サーバの加工画像生成手段により固有の加工処理を施された加工データを統合サーバに設定した固有のＵＲＬにリンク保存し、かつこのＵＲＬを送信メールの送信元メールアドレスにメール本文で通知する返信メールを作成するものとする。
【００１４】
本発明の第２の発明の好適な実施例においては、加工画像生成サーバによる前記固有の画像加工処理を、前記送信メールに添付された元画像データに対するそれぞれ個別の特殊効果画像加工とする。この特殊効果画像加工としては、例えば、モノクロ化、セピア化、ネガポジ化、エンボス化、メタル化、油彩化、水彩化等の画像加工がある。
【００１５】
本発明の第２の発明の他の好適な実施例においては、加工画像生成サーバによる固有の画像加工処理を、送信メールに添付された元画像データに対して特定イラストフレーム、例えば、花柄フレーム、額縁フレーム、会員証フレーム等を合成する加工とする。
【００１６】
本発明の第２の発明の他の好適な実施例においては、加工画像生成サーバによる固有の画像処理を、送信メールに添付された元画像データに対して特定画像、例えば、人気タレントまたは人気キャラクタのグラフィックを合成する加工とする。
【００１７】
本発明の第２の発明の他の好適な実施例においては、加工画像生成サーバによる固有の画像加工処理を、固有のグラフィカルな識別コード、例えば、バーコード、ＱＲコード等の生成とする。
【００１８】
本発明の第２の発明のさらに他の好適な実施例においては、加工画像生成サーバによる固有の画像加工処理を、乱数的なおみくじまたは懸賞等のグラフィック生成とする。
【００１９】
本発明の好適な実施例においては、データ加工サーバによる加工データまたは加工画像生成サーバによる固有画像加工処理を施した加工画像データの配信サービスを、携帯電話向けサービスとする。
【００２０】
次に、図面につき、本発明の好適な実施例を詳細に示す。
【実施例】
【００２１】
図１は、本発明による特定加工データ生成および配信方法、特に特定加工画像データ生成および配信方法を説明する。本発明によれば、特定加工画像データ生成および配信サービスを行うサーバ環境１は、統合サーバ２が、加工画像生成サーバ３、メールサーバ４、Ｗｅｂサーバ５を管理する。ただし、これらの加工画像生成サーバ３、メールサーバ４、Ｗｅｂサーバ５の機能は、一つの統合サーバ２自体がすべてを兼備する構成とすることもできる。
【００２２】
本発明によれば、統合サーバ２は、加工画像生成サーバ３における少なくとも一つの固有の画像加工データ処理を行う加工画像生成手段に対してそれぞれ固有のメールアドレスを割り当て、各加工画像生成手段が提供する加工画像生成サービスの固有メールアドレスを、少なくともＷｅｂサーバ５によりＷｅｂサイト上で表示する。
【００２３】
加工画像生成サーバ３における少なくとも一つの固有の画像加工データ処理を行う加工画像生成手段としては、例えば、元画像データをモノクロ化、セピア化、ネガポジ化、エンボス化、メタル化、ゴールド化、油彩化、水彩化等の特殊効果を施す特殊効果加工がある。
【００２４】
加工画像生成手段としては、さらに、元画像データに対して特定イラストフレーム、例えば、花柄フレーム、額縁フレーム、会員証フレーム等を合成する特定イラスト合成加工、もしくは元画像データに対して人気タレントまたは人気キャラクタのグラフィックを合成するグラフィック合成加工がある。
【００２５】
さらにまた、他の加工画像生成手段として、例えば、バーコード、ＱＲコード等の固有のグラフィカルな識別コード生成、もしくは乱数的なおみくじまたは懸賞等のグラフィック生成がある。
【００２６】
図１には、加工画像生成サーバ３におけるセピア化加工画像生成手段３Ａ、メタル化加工画像生成手段３Ｂ、額縁フレーム加工画像生成手段３Ｃ、会員証加工画像生成手段３Ｄ、バーコード加工画像生成手段３Ｅを示し、これら固有の加工画像生成手段に、以下のような固有のメールアドレスをそれぞれ割り当てた例を示す。
セピア化加工画像生成手段３Ａ：sepia@parome.jp
メタル化加工画像生成手段３Ｂ：metal@parome.jp
額縁フレーム加工画像生成手段３Ｃ：gakubuti@parome.jp
会員証加工画像生成手段３Ｄ：kaiinshou@parome.jp
バーコード加工画像生成手段３Ｅ：barcode@parome.jp
【００２７】
サービス利用者は、携帯電話６、またはＰＣ７、またはＰＤＡ８の通信機能により、インターネット９を介してＷｅｂサーバ５が公開する加工画像データ配信サービスのＷｅｂサイトにおける表示から、入手しようとする固有の加工画像生成サービスのメールアドレスを知得または取得する。また、サービス利用者は、必要に応じて、利用開始の初回に会員登録を行い、利用者データベース１０に会員情報を保存する。本発明配信サービスが課金サービスの場合には、初回会員登録の際に決済情報も登録するが、販促または無料キャンペーンにおける配信サービスではこのような登録手続きを不要とすることができる。
【００２８】
固有加工画像生成サービスのメールアドレスを知得または取得したサービス利用者は、例えば、デジタルカメラで撮影した元画像を添付して、固有加工画像生成サービスの固有メールアドレス宛、例えば、sepia@parome.jp宛の送信メール１１を発信する。送信メール１１は、メールタイトルまたはメール本文に、会員ＩＤ、パスワード等を記載するフォーマットを指定し、また、メール本文に、元画像に合成して埋め込もうとする文章またはフレーズを記載するフォーマットを利用者に指定しておくと好適である。
【００２９】
統合サーバ２は、インターネット９を介してsepia@parome.jp宛の送信メール１１をメールサーバ４によって受信する。このとき、統合サーバ２が、sepia@parome.jp宛の送信メール１１に含まれる元画像データ、個人データ、その他のデータを、利用者データベース１０に保存する。
【００３０】
さらに、統合サーバ２は、sepia@parome.jp宛の送信メール１１を受信したことをトリガ信号として、加工画像生成サーバ３におけるsepia@parome.jpの固有メールアドレスを割り当てたセピア化加工画像生成手段３Ａを動作させ、送信メール１１に含まれる元画像データに対する特定のセピア化加工画像データを生成する。
【００３１】
統合サーバ２は、送信メール１１に含まれるデータを保存した利用者データベース１０を参照して、加工画像生成サーバ３により生成された特定のセピア化加工画像データを、送信メール１１の送信元が入手可能となる返信メール１２を、返信メール作成手段１３によって作成する。
【００３２】
統合サーバ２による返信メール作成ステップは、加工画像生成サーバ３の加工画像生成手段３Ａにより固有の加工処理された加工画像データを、送信メール１１の送信元メールアドレスに添付する返信メール１２を、返信メール作成手段１３が作成するものとすることができる。
【００３３】
他の実施例においては、統合サーバ２による返信メール作成ステップは、加工画像生成サーバ３の加工画像生成手段３Ａによって固有の加工処理を施された加工データを、統合サーバ２に設定した固有のＵＲＬにリンク保存し、かつこのＵＲＬを送信メール１１の送信元メールアドレスにメール本文で通知する返信メール１２を、返信メール作成手段１３が作成するものとすることができる。
【００３４】
最終的に、統合サーバ２は、メールサーバ４を動作させてインターネット９を介して上述の返信メール１２を送信元メールアドレス宛に返信する。サービス利用者は、この返信メールから直接またはリンクＵＲＬから加工画像データを入手し、この加工画像データを例えば、待ち受け画面として利用する。
【００３５】
加工画像データとしては、添付送信する元画像であるサービス利用者自身の顔画像に対して、会員証フレームと、個人認証バーコードを合成する複合画像加工とすることもできる。会員サービスでの利用では、送信元メールアドレス、またはメールタイトルもしくは本文記載で判別できる会員データ（ＩＤ，名前等）の情報を画像合成するシステムにすると、例えば、会員証、チケット、QRコード等の認証カードに利用できる。
【産業上の利用可能性】
【００３６】
本発明特定加工画像データ生成および配信方法は、携帯電話等のメール機能を介して元画像データに対して特定の画像加工処理した加工画像データを生成して配信することに限定されることなく、音楽元データまたは文章データ等の特定加工処理した、例えば、楽譜データ、翻訳データ等に加工した加工データを生成して配信することも含まれる。
さらに、携帯電話チケット画面配信にも本発明方法を利用でき、この場合、利用者は購入チケットの明細（日付や席の種別）をメールタイトルやメール本文に記入するフォーマットを利用者に指定しておくと好適である。
【図面の簡単な説明】
【００３７】
【図１】本発明特定加工画像データ生成および配信方法の概要を示す説明図である。
【符号の説明】
【００３８】
１  サーバ環境
２  統合サーバ
３  加工画像生成サーバ
３Ａ  セピア化加工画像生成手段
３Ｂ  メタル化加工画像生成手段３Ｂ
３Ｃ  額縁フレーム加工画像生成手段
３Ｄ  会員証加工画像生成手段
３Ｅ  バーコード加工画像生成手段
４  メールサーバ
５  Ｗｅｂサーバ
６  携帯電話
７  ＰＣ
８  ＰＤＡ
９  インターネット
１０  利用者データベース
１１  送信メール
１２  返信メール
１３  返信メール作成手段
【図１】
2005316822.tif 000003